(57)【要約】【課題】レシーバ通話中にカメラ機能によって相手からの音声が途切れることを防止すること。【解決手段】本発明の一態様にかかる携帯電話機１は、カメラ２、制御部１６、レシーバ・スピーカ兼用デバイス２０を備える。レシーバ・スピーカ兼用デバイス２０は、受信された音声信号をレシーバ出力又はスピーカ出力する、及び、カメラ２により撮影処理を実行する際に報知される報知信号をスピーカ出力する。制御部１６は、レシーバ・スピーカ兼用デバイス２０が音声信号をレシーバ出力している間、カメラ２の機能を停止する。【選択図】  図１
2010141785.tif 000002
【特許請求の範囲】
【請求項１】
カメラ機能と、
受信された音声信号をレシーバ出力又はスピーカ出力する、及び、前記カメラ機能により撮影処理を実行する際に報知される報知信号をスピーカ出力するレシーバ・スピーカ兼用デバイスと、
前記レシーバ・スピーカ兼用デバイスが前記音声信号をレシーバ出力している間、前記カメラ機能を停止する制御部と、
を備える携帯電話機。
【請求項２】
前記カメラ機能が停止されている間に前記撮影処理が実行された場合、カメラ機能不能情報を報知する報知部をさらに備える請求項１に記載の携帯電話機。
【請求項３】
前記報知部は、前記撮影処理が実行された場合にカメラ機能不能情報をポップアップ表示する表示部を備える請求項２に記載の携帯電話機。
【請求項４】
前記音声信号を出力するためのイヤホンをさらに備え、
前記イヤホンを使用して前記音声信号を出力する場合、前記制御部は前記カメラ機能を停止せず、前記撮影処理が実行されたときに、前記レシーバ・スピーカ兼用デバイスは前記報知信号をスピーカ出力し、前記イヤホンは前記音声信号と前記報知信号とを重畳して出力することを特徴とする請求項１、２又は３に記載の携帯電話機。
【請求項５】
前記レシーバ・スピーカ兼用デバイスが前記音声信号をスピーカ出力する場合、前記制御部は前記カメラ機能を停止せず、前記撮影処理が実行されたときに、前記レシーバ・スピーカ兼用デバイスは前記音声信号を前記報知信号とを重畳してスピーカ出力することを特徴とする請求項１、２又は３に記載の携帯電話機。
【請求項６】
前記カメラ機能停止中は、前記撮影処理を実行するためのボタンを割り当てないことを特徴とする請求項１〜５のいずれか１項に記載の携帯電話機。
【請求項７】
受信された音声信号をレシーバ出力又はスピーカ出力する、及び、カメラ機能により撮影処理を実行する際に報知される報知信号をスピーカ出力するレシーバ・スピーカ兼用デバイスが前記音声信号をレシーバ出力している間、前記カメラ機能を停止し、
前記カメラ機能が停止されている間に、前記撮影処理が実行された場合、カメラ機能不能情報を報知することを特徴とする機能設定方法。
【請求項８】
前記カメラ機能が停止されている間に前記撮影処理が実行された場合、カメラ機能不能情報をポップアップ表示することを特徴とする請求項７に記載の機能設定方法。
【請求項９】
イヤホンを使用して前記音声信号を出力する場合、前記カメラ機能を停止せず、前記撮影処理が実行されたときに、前記レシーバ・スピーカ兼用デバイスにより前記報知信号をスピーカ出力するとともに、前記イヤホンにより前記音声信号と前記報知信号とを重畳して出力することを特徴とする請求項７又は８に記載の機能設定方法。
【請求項１０】
前記音声信号をスピーカ出力する場合、前記カメラ機能を停止せず、前記撮影処理が実行されたときに、前記音声信号を前記報知信号とを重畳してスピーカ出力することを特徴とする請求項７又は８に記載の機能設定方法。
【請求項１１】
前記カメラ機能停止中は、前記撮影処理を実行するためのボタンを割り当てないことを特徴とする請求項７〜１１のいずれか１項に記載の機能設定方法。
【発明の詳細な説明】
【技術分野】
【０００１】
本発明は、携帯電話機及びその機能設定方法に関し、特に、カメラ機能を有する携帯電話機及びその機能設定方法に関する。
【背景技術】
【０００２】
従来、図７に示すように、レシーバ１０３とスピーカ１０９とは独立して実装されていた。図７では、出力デバイスとしてレシーバ１０３とスピーカ１０９のみを記載し、他のデバイス（イヤホン等）は省略する。また、通話時の相手の音声の出力の流れを点線、カメラ撮影時に鳴動するシャッター音の出力の流れを太線で表す。
【０００３】
通話時の相手の音声（点線）は、ＤＳＰ（Digital Signal Processor）１０１を介し音声／オーディオ信号処理部１０２にてＤ／Ａ変換１０４、レシーバアンプ１０５を経由し出力デバイスへ出力される。この場合の出力デバイスはレシーバ１０３である。図７の構成では、レシーバ１０３とスピーカ１０９と独立しているため、音声／オーディオ信号処理部１０２から出力された音声データはそのままレシーバ１０３へ出力される。
【０００４】
カメラ撮影時のシャッター音（太線）のデータは、音源１０６にて生成される。このデータは、音声／オーディオ信号処理部１０２にてＤ／Ａ変換１０７、スピーカアンプ１０８を経由し出力デバイスへ出力する。この場合の出力デバイスはスピーカ１０９である。上記と同様に、音声／オーディオ信号処理部１０２から出力されたシャッター音データはそのままスピーカ１０９へ出力される。
【０００５】
このような構成を備える携帯電話機では、通話中にシャッター音を鳴動させる場合、上述したように相手の音声（レシーバ出力）とシャッター音（スピーカ出力）は独立して出力することが可能であるため、相手の音声の出力を途切れさせることなくシャッター音を鳴動することができる。
【０００６】
近年、携帯電話機の小型化により、実装面積を押さえるべく、レシーバとスピーカが一体化したデバイスが普及している。このようなレシーバとスピーカを兼用したデバイス（以下、レシーバ・スピーカ兼用デバイスと称す）を実装した携帯電話機では、通話中にカメラ撮影をする場合、通話音声（レシーバ出力）とシャッター音（スピーカ出力）を同時に出力することはできない。その場合、カメラ撮影は盗撮防止により必ずスピーカからシャッター音を規定音量で出力する必要があるため、スピーカ出力を優先することで通話音声の出力ができなくなってしまう。
【０００７】
特許文献１では、音声通話を行っている間に、通信手段以外の機能を停止させる技術が提案されている。しかし、この技術では、相手からの音声が途切れない場合であっても、音声通話中であれば撮影機能などを停止することとなる。このため、通話機能とともに、撮影機能を使用することができない。
【０００８】
【特許文献１】特開２００１−１８９８１２号公報
【発明の開示】
【発明が解決しようとする課題】
【０００９】
このように、従来のレシーバ・スピーカ兼用デバイスを実装した携帯電話機では、通話中にカメラ撮影をする場合、通話音声とシャッター音を同時に出力することはできず、カメラ撮影時シャッター音が鳴動している間は相手からの音声が途切れてしまう問題があった。また、特許文献１に記載の情報機器では、通話機能とともに、撮影機能を使用することができないという問題がある。
【００１０】
本発明は、このような事情を背景としてなされたものであり、レシーバ通話中にカメラ機能によって相手からの音声が途切れることを防止することができる携帯電話機及びその機能設定方法を提供することを目的とする。
【課題を解決するための手段】
【００１１】
本発明にかかる携帯電話機は、カメラ機能と、受信された音声信号をレシーバ出力又はスピーカ出力する、及び、前記カメラ機能により撮影処理を実行する際に報知される報知信号をスピーカ出力するレシーバ・スピーカ兼用デバイスと、前記レシーバ・スピーカ兼用デバイスが前記音声信号をレシーバ出力している間、前記カメラ機能を停止する制御部とを備えるものである。
【００１２】
本発明にかかる携帯電話機の機能設定方法は、受信された音声信号をレシーバ出力又はスピーカ出力する、及び、カメラ機能により撮影処理を実行する際に報知される報知信号をスピーカ出力するレシーバ・スピーカ兼用デバイスが前記音声信号をレシーバ出力している間、前記カメラ機能を停止し、前記カメラ機能が停止されている間に、前記撮影処理が実行された場合、カメラ機能不能情報を報知することを特徴とする。
【発明の効果】
【００１３】
本発明によれば、レシーバ通話中にカメラ機能によって相手からの音声が途切れることを防止することができる携帯電話機及びその機能設定方法を提供することができる。
【発明を実施するための最良の形態】
【００１４】
以下、本発明の実施の形態に係る携帯電話機及びその機能設定方法について、図を用いて説明する。なお、各図において、同様な構成要素には同様の符号を付し、適宜説明を省略する。
【００１５】
実施の形態１．
本発明の実施の形態１にかかる携帯電話機について、図１を参照して説明する。図１は、本実施の形態に係る携帯電話機１の構成を示すブロック図である。図１に示すように、携帯電話機１は、カメラ２、制御部１６、レシーバ・スピーカ兼用デバイス２０を備える。
【００１６】
本発明は、携帯電話機における音声通話時にカメラ撮影によって相手音声を途切れることを防止すべく、相手からの音声が途切れるような音声通話時には撮影機能を制限することを特徴とする。
【００１７】
カメラ２は、撮影処理を行う。レシーバ・スピーカ兼用デバイス２０は、相手の音声信号をユーザが携帯電話機１を耳に当てて使う状態を想定した音量での出力（以下レシーバ出力と称す）と、カメラ撮影時のシャッター音やユーザが携帯電話機１から耳を離して使う状態（ハンズフリー等）を想定した音量での出力（以下、スピーカ出力と称す）とを行う。
【００１８】
すなわち、レシーバ・スピーカ兼用デバイス２０は、受信された音声信号をレシーバ出力又はスピーカ出力する、及び、前記カメラ機能により撮影処理を実行する際に報知される報知信号であるシャッター音をスピーカ出力する。制御部１６は、レシーバ・スピーカ兼用デバイス２０が音声信号をレシーバ出力している間、前記カメラ機能を停止する。
【００１９】
ここで、図２を用いて、図１に示した携帯電話機１の詳細な構成について説明する。図２に示すように、携帯電話機１は、アンテナ１０、無線部１１、メモリ１２、音声／オーディオ信号処理部１３、出力デバイス１４、マイク１５、制御部１６、操作部１７、表示部１８、ＣＰＵ１９を備える。
【００２０】
アンテナ１０は、電波を送受信する。無線部１１は、アンテナ１０に接続されており、アンテナ１０を通じて無線信号の送受信処理を行う。メモリ１２は、プログラムを格納したり、ユーザが設定したデータ等を記憶する。
【００２１】
音声／オーディオ信号処理部１３は、出力デバイス１４及びマイク１５に接続されている。音声／オーディオ信号処理部１３は、無線部１１、アンテナ１０及び制御部１６を介して受信した音声やオーディオ信号をＤ／Ａ変換して、出力デバイス１４から音声や音楽データとして出力する。出力デバイス１４は、レシーバ・スピーカ兼用デバイス、イヤホン、外部ハンズフリー等を含む。
【００２２】
マイク１５は、ユーザの音声を集音する。音声／オーディオ信号処理部１３はまた、マイク１５から入力された音声をＡ／Ｄ変換し、制御部１６、無線部１１及びアンテナ１０を介して相手先に送信する。
【００２３】
制御部１６は、ＣＰＵ１９を含む。制御部１６には、無線部１１と、メモリ１２と、音声／オーディオ信号処理部１３と、操作部１７と、表示部１８とが接続されている。制御部１６はこれら各部の動作制御を行う。制御部１６は、操作部１７を監視し、ユーザの操作を検出判断して操作に基づく処理を行う。また、制御部１６は、表示部１８を制御して各種表示を行う。
【００２４】
操作部１７は電話番号等の入力や各機能の選択等を行うための複数のキーを備える。表示部１８は、液晶などを用いた表示パネルからなる。表示部１８は、各機能を設定するためのメニュー表示を行う。
【００２５】
上記の携帯電話機１の送受信動作について説明する。受信時においては、アンテナ１０は、基地局からの電波を受信する。無線部１１は、アンテナ１０において受信された電波の復調処理を行う。音声／オーディオ信号処理部１３は、復調処理された音声情報をＡ／Ｄ変換し、出力デバイス１４から出力する。
【００２６】
一方、送信時においては、マイク１５はユーザの音声を集音し、無線部１１に音声情報を送信する。無線部１１は、音声情報の変調処理を行う。アンテナ１０は、変調処理された音声信号を送信する。
【００２７】
次に、本実施例でのレシーバ・スピーカ兼用デバイスの構成について、図３を用いて説明する。図３は、本実施の形態に係るレシーバ・スピーカ兼用デバイスの構成を説明するためのブロック図である。図３は、図２の音声／オーディオ信号処理部１３、出力デバイス１４の詳細な構成を示したものである。
【００２８】
図３に示すように、音声／オーディオ信号処理部１３は、Ｄ／Ａ変換部２４、レシーバスイッチ２５、レシーバアンプ２６、レシーバ・スピーカ変換スイッチ２７、Ｄ／Ａ変換部２８、スピーカスイッチ２９、スピーカアンプ３０、イヤホンスイッチ３１、イヤホンアンプ３２を備える。なお、図３では、出力デバイス１４として、レシーバ・スピーカ兼用デバイス２０、イヤホン２１を記載し、その他のデバイス（外部ハンズフリー等）は省略する。
【００２９】
ＤＳＰ２２及び音源２３は、制御部１６に設けられている。ＤＳＰ（Digital Signal Processor）２２は、アンテナ１０で受信され、無線部１１で復調された相手からの音声信号を処理し、音声／オーディオ信号処理部１３に出力する。音源２３は、カメラ撮影時に鳴動するシャッター音や、ボタン操作音等の報知信号を音声／オーディオ信号処理部１３に出力する。レシーバ・スピーカ変換スイッチ２７は、制御部１６の制御により、レシーバ出力時の出力回路と、スピーカ出力時の出力回路とを切り替える。
【００３０】
音声信号や報知信号をイヤホン２１から出力する場合、これらの信号は、音声／オーディオ信号処理部１３のＤ／Ａ変換部２４、２８でアナログデータに変換される。そして、イヤホンスイッチ３１にてアナログデータに変換されたＤ／Ａ変換部２４、２８で変換された信号が選択され、イヤホンアンプ３２を介しイヤホン２１に出力される。
【００３１】
音声信号をレシーバ・スピーカ兼用デバイス２０からレシーバ出力する場合、まずＤ／Ａ変換部２４でＤＳＰ２２から入力された音声信号がアナログデータに変換される。そして、レシーバスイッチ２５により、Ｄ／Ａ変換部２４でアナログデータに変換された音声信号が選択され、レシーバアンプ２６に出力される。このとき、レシーバ・スピーカ変換スイッチ２７により、レシーバ出力時の出力回路に切り替えられている。従って、レシーバアンプ２６において増幅された音声信号は、レシーバ・スピーカ兼用デバイス２０から出力される。
【００３２】
報知信号をレシーバ・スピーカ兼用デバイス２０からスピーカ出力する場合、まずＤ／Ａ変換部２８で音源２３から入力された報知信号がアナログデータに変換される。そして、スピーカスイッチ２９により、Ｄ／Ａ変換部２８でアナログデータに変換された報知信号が選択され、スピーカアンプ３０に出力される。このとき、レシーバ・スピーカ変換スイッチ２７により、スピーカ出力時の出力回路に切り替えられている。従って、スピーカアンプ３０において増幅された報知信号は、レシーバ・スピーカ兼用デバイス２０から出力される。
【００３３】
ここで、本実施の形態において使用するレシーバ・スピーカ兼用デバイス２０における通話中の音声（レシーバ出力）とカメラ撮影時のシャッター音（スピーカ出力）の出力方法について説明する。図３において、通話時の相手音声の出力の流れを点線で示し、カメラ撮影時に鳴動するシャッター音の出力の流れを太線で示す。
【００３４】
カメラ撮影は、盗撮防止により必ずシャッター音を規定音量で出力する必要がある。図３に示すように、通話中のカメラ撮影をする場合スピーカ出力を優先し、報知信号であるシャッター音はレシーバ・スピーカ兼用デバイス２０からスピーカ出力される。従って、レシーバ・スピーカ兼用デバイス２０は、レシーバ・スピーカ変換スイッチ２７によりスピーカ出力回路に接続される。
【００３５】
このため、シャッター音鳴動中は通話時の点線で示す相手音声をレシーバ・スピーカ兼用デバイス２０からレシーバ出力することができない。このように、従来は、カメラ撮影時にシャッター音が鳴動している間は、相手からの音声が途切れてしまうという問題があった。
【００３６】
しかしながら、本実施の形態では、レシーバ・スピーカ兼用デバイス２０を使用する構成において、通話時の音声出力が途切れることを防止すべく、通話中のカメラ撮影の制限を行う。
【００３７】
ここで、レシーバ出力の場合の通話中のカメラ機能の設定方法について図４を参照して説明する。図４は、本実施の形態に係る機能設定方法を説明するためのフローチャートである。まず、携帯電話機１において通話中にカメラ起動状態であるとする（ステップＳ１０）。
【００３８】
通話中にカメラ撮影を行う場合、ユーザは、例えば撮影ボタンとして割り当てられたボタンを押下する等して、撮影動作を行う（ステップＳ１１）。そして、音声信号の出力状態が、レシーバ出力であるか否かが判断される（ステップＳ１２）。なお、前述のようにレシーバ出力とは、ユーザが携帯電話機を耳に当てて使う状態（ハンズフリー機能の設定をしていない状態）を想定した音量での出力である。
【００３９】
音声信号の出力状態がレシーバ出力である場合（ステップＳ１２、ＹＥＳ）、シャッター音の鳴動を制限するために、撮影処理を行わないようにカメラ機能を制限する（ステップＳ１３）。すなわち、この場合、撮影動作を行っていても、撮影処理を行わない。従って、撮影時のシャッター音がスピーカ出力されるのを防ぎ、音声信号が途切れるのを防止することができる。
【００４０】
また、このとき、表示部１８に「レシーバ通話中は撮影できません。」等のポップアップ表示することも可能である。このように、撮影できない旨のポップアップ表示することで、ユーザは、音声信号の出力状態がレシーバ出力の場合には、カメラ撮影ができないことを認識することができる。
【００４１】
一方、音声信号の出力状態がレシーバ出力ではない場合（ステップＳ１２、ＮＯ）、当該出力状態はスピーカ出力又はイヤホン出力等となっている。なお、前述のとおり、スピーカ出力とは、ユーザが携帯電話機から耳を離して使う状態（ハンズフリー機能を設定した状態）を想定した音量での出力である。また、イヤホンの場合とは、イヤホン機器を携帯電話機に付けている状態を想定した、イヤホン機器からの音声の出力である。
【００４２】
このときには、カメラ撮影時のシャッター音がスピーカ出力された場合でも、音声信号が途切れることがない。このため、音声信号の出力状態がレシーバ出力ではない場合（ステップＳ１２、ＮＯ）には、通常通り、撮影処理が実行される（ステップＳ１４）。
【００４３】
スピーカ出力の場合には、通話時の相手音声とシャッター音とを両方スピーカ出力することができる。この場合、図３のスピーカスイッチ２９にて、相手の音声信号（ＤＳＰ２２からの入力）とシャッター音である報知信号（音源２３からの入力）とをミキシングして、スピーカアンプ３０に出力する。これにより、通話中の相手の音声とシャッター音を同時にレシーバ・スピーカ兼用デバイス２０から鳴動することが可能となる。
【００４４】
また、イヤホン２１を用いた出力の場合は、通話時の相手の音声信号はイヤホン２１から出力される。この場合、イヤホンスイッチ３１にて、相手の音声信号（ＤＳＰ２２からの入力）とシャッター音である報知信号（音源２３からの入力）とをミキシングして、イヤホンアンプ３２に出力する。これにより、通話中の相手の音声とシャッター音を同時にイヤホン２１から鳴動することが可能となる。
【００４５】
なお、イヤホン２１から音声信号と報知信号とを出力する場合には、盗撮防止を目的とするため、シャッター音はイヤホン２１から出力すると同時に、レシーバ・スピーカ兼用デバイス２０からスピーカ出力する。
【００４６】
このように、音声信号の出力状態がレシーバ出力の場合には、カメラ機能を制限し、シャッター音を鳴動させない。これにより、レシーバ・スピーカ兼用デバイス２０が搭載された携帯電話機１において、レシーバ通話中のカメラ撮影を行えなくすることで、カメラの撮影ボタンの押下により通話中の相手音声が途切れることを防ぐことができる。
【００４７】
また、音声信号の出力状態がスピーカ出力の場合の通話時や、イヤホン出力の場合の通話時には、相手音声を途切れさせることなく、カメラ撮影時のシャッター音を鳴動させることができる。これにより、相手音声とシャッター音とを重畳して出力できる場合には通話機能とカメラ機能とを同時に実行することが可能である。
【００４８】
実施の形態２．
本発明の実施の形態２に係る携帯電話機及びその機能設定方法について、図５を参照して説明する。図５は、本実施の形態に係る携帯電話機の機能設定方法を説明するためのフローチャートである。
【００４９】
実施の形態１においては、レシーバ出力の場合の通話中のシャッター音の鳴動を制限するため、撮影ボタン押下後に表示部１８に撮影できない旨のポップアップ表示を行いユーザに認識させていた。本実施の形態においては、レシーバ通話中は、撮影ボタンを割り当てず、ユーザが撮影ボタンを押せないようにすることでカメラ機能を制限し、シャッター音の鳴動を制限する。
【００５０】
図５に示すように、携帯電話機１において通話中であるとする（ステップＳ２０）。通話中に、カメラ機能の起動が行われると（ステップＳ２１）、音声信号の出力状態が、レシーバ出力であるか否かが判断される（ステップＳ２２）。なお、カメラ機能が起動状態である場合に通話状態に移行した場合も同様に、音声信号の出力状態がレシーバ出力であるか否かを判断することができる。
【００５１】
音声信号の出力状態がレシーバ出力である場合（ステップＳ２２、ＹＥＳ）、シャッター音の鳴動を制限するために、撮影ボタンを割り当てない（ステップＳ２３）。例えば、通常時であれば表示部１８に撮影ボタンが表示され、ユーザが撮影動作を実行できるところ、レシーバ出力の場合には撮影ボタンを表示せず、撮影動作を行うことができないようにする。
【００５２】
このように、撮影ボタンを割り当てないことにより、カメラ機能を制限する。この場合、撮影動作を行うことができないため、撮影処理が実行されず、撮影時のシャッター音がスピーカ出力されるのを防ぎ、音声信号が途切れるのを防止することができる。また、撮影ボタンを表示させないことで、カメラ撮影を行う前にレシーバ通話中は撮影できないことをユーザに認識させることができる。また、レシーバ出力の通話中は、表示部１８にカメラ撮影ができない旨の表示を行ってもよい。
【００５３】
一方、音声信号の出力状態がレシーバ出力ではない場合（スピーカ出力又はイヤホン出力等）（ステップＳ２２、ＮＯ）、通常通り、撮影ボタンを表示し、カメラ撮影を可能とする（ステップＳ２４）。このように、相手音声とシャッター音とを重畳して出力できる場合には通話機能とカメラ機能とを同時に実行することが可能である。
【００５４】
実施の形態３．
本発明の実施の形態３に係る携帯電話機及びその機能設定方法について、図６を参照して説明する。図６は、本実施の形態に係る携帯電話機の機能設定方法を説明するためのフローチャートである。
【００５５】
実施の形態１では、レシーバ出力の場合の通話中のみカメラ機能を制限していたが、本実施の形態では、出力状態に係わらず通話時には常時カメラ機能の起動を制限する。図６に示すように、携帯電話機１においてカメラ起動操作を行う（ステップＳ３０）。なお、カメラの起動は、例えば、起動ボタンの押下等、予め割り当てられた所定の動作を行うことで行う。
【００５６】
ユーザがカメラ起動の操作を行った際、通話中であるか否かが判断される（ステップＳ３１）。通話中である場合（ステップＳ３１、ＹＥＳ）、シャッター音の鳴動を制限するために、カメラの起動を行わない（ステップＳ３２）。このように、カメラ機能を起動することができないため、音声信号が途切れるのを防止することができる。また、このとき、表示部１８にカメラ撮影ができない旨のポップアップ表示を行い、ユーザに認識させる。
【００５７】
一方、通話中ではない場合（ステップＳ３１、ＮＯ）、通常通りカメラ機能の起動処理が行われ（ステップＳ３３）、カメラ撮影を可能とする。
【００５８】
以上説明したように、本発明によれば、通話中の音声信号が途切れるのを防止することができる。また、相手音声とシャッター音とを重畳して出力できる場合には通話機能とカメラ機能とを同時に実行することが可能である。
【００５９】
なお、本発明は上述した実施の形態のみに限定されるものではなく、既に述べた本発明の要旨を逸脱しない範囲において種々の変更が可能であることは勿論である。
【図面の簡単な説明】
【００６０】
【図１】実施の形態１に係る携帯電話機の構成を示すブロック図である。
【図２】実施の形態１に係る携帯電話機の構成を示すブロック図である。
【図３】実施の形態１に係る携帯電話機の構成の一部を示すブロック図である。
【図４】実施の形態１に係る携帯電話機の機能設定方法を説明するためのフローチャートである。
【図５】実施の形態２に係る携帯電話機を説明するためのフローチャートである。
【図６】実施の形態３に係る携帯電話機を説明するためのフローチャートである。
【図７】従来の携帯電話機の構成を示すブロック図である。
【符号の説明】
【００６１】
１  携帯電話機
２  カメラ
１０  アンテナ
１１  無線部
１２  メモリ
１３  音声／オーディオ信号処理部
１４  出力デバイス
１５  マイク
１６  制御部
１７  操作部
１８  表示部
１９  ＣＰＵ
２０  レシーバ・スピーカ兼用デバイス
２１  イヤホン
２２  ＤＳＰ
２３  音源
２４  Ｄ／Ａ変換部
２５  レシーバスイッチ
２６  レシーバアンプ
２７  レシーバ・スピーカ変換スイッチ
２８  Ｄ／Ａ変換部
２９  スピーカスイッチ
３０  スピーカアンプ
３１  イヤホンスイッチ
３２  イヤホンアンプ
【図１】
2010141785.tif 000003
【図２】
2010141785.tif 000004
【図３】
2010141785.tif 000005
【図４】
2010141785.tif 000006
【図５】
2010141785.tif 000007
【図６】
2010141785.tif 000008
【図７】
2010141785.tif 000009